(57)【要約】【課題】排紙中の用紙または排紙直後の用紙は高温であることをオペレータに認識させることができる画像形成装置を提供する。【解決手段】排紙トレイ５上流近傍に配置された用紙位置検出手段１１と、用紙位置検出手段１１の出力により用紙が排紙中または排紙直後で高温状態にある旨判断する制御手段１２と、制御手段１２の指令により警告を発する警告手段１３とを備えた画像形成装置。【選択図】図２
2007102040.tif 000002
【特許請求の範囲】
【請求項１】
排紙トレイ上流近傍に配置された用紙位置検出手段と、用紙位置検出手段の出力により用紙が排紙中または排紙直後で高温状態にある旨を判断する制御手段と、該制御手段の指令により警告を発する警告手段と、を備えたことを特徴とする画像形成装置。
【請求項２】
排紙トレイ近傍に配置された用紙温度検出手段と、該用紙温度検出手段の出力により用紙が高温状態にある旨を判断する制御手段と、該制御手段の指令により警告を発する警告手段とを備えたことを特徴とする画像形成装置。
【請求項３】
排紙トレイ上流近傍に配置された用紙位置検出手段と、定着温度検出手段と、前記用紙位置検出手段と定着温度検出手段の出力により用紙が排紙中または排紙直後で、かつ高温状態にある旨を判断する制御手段と、該制御手段の指令により警告を発する警告手段と、を備えたことを特徴とする画像形成装置。
【請求項４】
排紙トレイ上流近傍に配置された用紙位置検出手段と、用紙カウント手段と、前記用紙位置検出手段と用紙カウント手段の出力により用紙が排紙中または排紙直後で、かつ高温状態にある旨を判断する制御手段と、該制御手段の指令により警告を発する警告手段と、を備えたことを特徴とする画像形成装置。
【請求項５】
排紙トレイ上流近傍に配置された用紙位置検出手段と、用紙厚検出手段と、前記用紙位置検出手段と用紙厚検出手段の出力により用紙が排紙中または排紙直後で、かつ高温状態にある旨を判断する制御手段と、該制御手段の指令により警告を発する警告手段と、を備えたことを特徴とする画像形成装置。
【請求項６】
排紙トレイ上流近傍に配置された用紙位置検出手段と、用紙材質検出手段と、前記用紙位置検出手段と用紙材質検出手段の出力により用紙が排紙中または排紙直後で、かつ高温状態にある旨を判断する制御手段と、該制御手段の指令により警告を発する警告手段と、を備えたことを特徴とする画像形成装置。
【請求項７】
排紙トレイ上流近傍に配置された用紙位置検出手段と、用紙サイズ検出手段と、前記用紙位置検出手段と用紙サイズ検出手段の出力により用紙が排紙中または排紙直後で、かつ高温状態にある旨を判断する制御手段と、該制御手段の指令により警告を発する警告手段と、を備えたことを特徴とする画像形成装置。
【発明の詳細な説明】
【技術分野】
【０００１】
本発明は、複写機、プリンタ、ファクシミリ装置などの電子写真方式の画像形成装置に関し、特にユーザへの安全対策に特徴のある画像形成装置に関する。
【背景技術】
【０００２】
電子写真方式の画像形成装置は、給紙トレイから給紙された用紙は、作像部に搬送され、作像部で作像された画像が作像部の転写ユニットで転写され、定着部に至る。そして定着部で画像が転写された用紙は排紙ローラにより排紙トレイに排紙される。定着部は加熱定着方式が主流であり、排紙中の用紙または排紙直後の用紙は加熱され、高温となっている。
【発明の開示】
【発明が解決しようとする課題】
【０００３】
上述したように、排紙中の用紙または排紙直後の用紙は高温であるので、用紙の取り出し時にそのような予備知識のないオペレータを驚かせることになり、オペレータに対して必ずしも良い印象を与えない場合がある。
本発明は、排紙中の用紙または排紙直後の用紙は高温であることをオペレータに認識させることができる画像形成装置を提供することを目的とする。
【課題を解決するための手段】
【０００４】
上記目的を達成するために、請求項１記載の発明は、排紙トレイ上流近傍に配置された用紙位置検出手段と、用紙位置検出手段の出力により用紙が排紙中または排紙直後で高温状態にある旨判断する制御手段と、制御手段の指令により警告を発する警告手段とを備えたことを特徴とする。
請求項２記載の発明は、排紙トレイ近傍に配置された用紙温度検出手段と、用紙温度検出手段の出力により用紙が高温状態にある旨判断する制御手段と、制御手段の指令により警告を発する警告手段とを備えたことを特徴とする。
請求項３記載の発明は、排紙トレイ上流近傍に配置された用紙位置検出手段と、定着温度検出手段と、用紙位置検出手段と定着温度検出手段の出力により用紙が排紙中または排紙直後で、かつ高温状態にある旨判断する制御手段と、制御手段の指令により警告を発する警告手段とを備えたことを特徴とする。
請求項４記載の発明は、排紙トレイ上流近傍に配置された用紙位置検出手段と、用紙カウント手段と、用紙位置検出手段と用紙カウント手段の出力により用紙が排紙中または排紙直後で、かつ高温状態にある旨判断する制御手段と、制御手段の指令により警告を発する警告手段とを備えたことを特徴とする。
請求項５記載の発明は、排紙トレイ上流近傍に配置された用紙位置検出手段と、用紙厚検出手段と、用紙位置検出手段と用紙厚検出手段の出力により用紙が排紙中または排紙直後で、かつ高温状態にある旨判断する制御手段と、制御手段の指令により警告を発する警告手段とを備えたことを特徴とする。
請求項６記載の発明は、排紙トレイ上流近傍に配置された用紙位置検出手段と、用紙材質検出手段と、用紙位置検出手段と用紙材質検出手段の出力により用紙が排紙中または排紙直後で、かつ高温状態にある旨判断する制御手段と、制御手段の指令により警告を発する警告手段とを備えたことを特徴とする。
請求項７記載の発明は、排紙トレイ上流近傍に配置された用紙位置検出手段と、用紙サイズ検出手段と、用紙位置検出手段と用紙サイズ検出手段の出力により用紙が排紙中または排紙直後で、かつ高温状態にある旨判断する制御手段と、制御手段の指令により警告を発する警告手段とを備えたことを特徴とする。
【発明の効果】
【０００５】
本発明によれば、排紙トレイ上流近傍に配置された用紙位置検出手段と、用紙位置検出手段の出力により用紙が排紙中または排紙直後で高温状態にある旨判断する制御手段と、制御手段の指令により警告を発する警告手段とを備えたことで、排紙中の用紙または排紙直後の用紙は高温であることをオペレータに認識させることができる。
また、排紙トレイ近傍に配置された用紙温度検出手段と、用紙温度検出手段の出力により用紙が高温状態にある旨判断する制御手段と、制御手段の指令により警告を発する警告手段とを備えたことで、排紙中の用紙または排紙直後の用紙は高温であることをオペレータに認識させることができる。
また、排紙トレイ上流近傍に配置された用紙位置検出手段と、定着温度検出手段と、用紙位置検出手段と定着温度検出手段の出力により用紙が排紙中または排紙直後で、かつ高温状態にある旨判断する制御手段と、制御手段の指令により警告を発する警告手段とを備えたことで、排紙中の用紙または排紙直後の用紙は高温であることをオペレータに認識させることができる。
また、排紙トレイ上流近傍に配置された用紙位置検出手段と、用紙カウント手段と、用紙位置検出手段と用紙カウント手段の出力により用紙が排紙中または排紙直後で、かつ高温状態にある旨判断する制御手段と、制御手段の指令により警告を発する警告手段とを備えたことで、排紙中の用紙または排紙直後の用紙は高温であることをオペレータに認識させることができる。
また、排紙トレイ上流近傍に配置された用紙位置検出手段と、用紙厚検出手段と、用紙位置検出手段と用紙厚検出手段の出力により用紙が排紙中または排紙直後で、かつ高温状態にある旨判断する制御手段と、制御手段の指令により警告を発する警告手段とを備えたことで、排紙中の用紙または排紙直後の用紙は高温であることをオペレータに認識させることができる。
また、排紙トレイ上流近傍に配置された用紙位置検出手段と、用紙材質検出手段と、用紙位置検出手段と用紙材質検出手段の出力により用紙が排紙中または排紙直後で、かつ高温状態にある旨判断する制御手段と、制御手段の指令により警告を発する警告手段とを備えたことで、排紙中の用紙または排紙直後の用紙は高温であることをオペレータに認識させることができる。
また、排紙トレイ上流近傍に配置された用紙位置検出手段と、用紙サイズ検出手段と、用紙位置検出手段と用紙サイズ検出手段の出力により用紙が排紙中または排紙直後で、かつ高温状態にある旨判断する制御手段と、制御手段の指令により警告を発する警告手段とを備えたことで、排紙中の用紙または排紙直後の用紙は高温であることをオペレータに認識させることができる。
【発明を実施するための最良の形態】
【０００６】
以下、図面を参照して、本発明の実施形態を詳細に説明する。
図１は本発明の対象となる画像形成装置の構成図である。本画像形成装置は、底部から上方に順に、複数段の給紙トレイ１、感光体を中心とした作像部２、定着部３、排紙ローラ４を備え、排紙ローラ４の下流側には排紙トレイ５がある。
給紙トレイ１から給紙された用紙は、作像部２に搬送され、作像部２で作像された画像が作像部２の転写ローラ６で転写され、定着部３に至る。そして定着部３で画像が転写された用紙は排紙ローラ４により排紙トレイ５に排紙される。排紙トレイの周囲には、用紙取り出し用の空間７が設けられている。
図２は本発明の第１の実施形態に係る画像形成装置の機能ブロック図である。第１の実施形態に係る画像形成装置は、排紙トレイ５上流近傍に配置され、排紙中の用紙を検出する用紙位置検出手段(通紙検出手段)１１と、用紙位置検出手段１１の出力により用紙が排紙中または排紙直後で高温状態にある旨判断する制御手段１２と、制御手段１２の指令により警告を発する警告手段１３とを備えている。
図３は本発明の第２の実施形態に係る画像形成装置の機能ブロック図である。第２の実施形態に係る画像形成装置は、排紙トレイ５近傍に配置された用紙温度検出手段１４と、用紙温度検出手段１４の出力により用紙が排紙中または排紙直後で高温状態にある旨判断する制御手段１２と、制御手段１２の指令により警告を発する警告手段１３とを備えている。用紙温度検出手段１４は、排紙トレイ５面に設けてあってもよいし、排紙ローラ４付近にあってもよい。
【０００７】
図４は本発明の第３の実施形態に係る画像形成装置の機能ブロック図である。第３の実施形態に係る画像形成装置は、排紙トレイ５上流近傍に配置された用紙位置検出手段１１と、定着部３の温度を検出する定着温度検出手段１５と、用紙位置検出手段１１と定着温度検出手段１５の出力により用紙が排紙中または排紙直後で、かつ高温状態にある旨判断する制御手段１２と、制御手段１２の指令により警告を発する警告手段１３とを備えている。定着温度が高ければ、用紙の温度も高くなるのでより正確に用紙の高温状態を把握することができる。
図５は本発明の第４の実施形態に係る画像形成装置の機能ブロック図である。第４の実施形態に係る画像形成装置は、排紙トレイ５上流近傍に配置された用紙位置検出手段１１と、用紙カウント手段(連続通紙カウント手段)１６と、用紙位置検出手段１１と用紙カウント手段１６の出力により用紙が排紙中または排紙直後で、かつ高温状態にある旨判断する制御手段１２と、制御手段１２の指令により警告を発する警告手段１３とを備えている。
連続通紙により、定着部３から排紙ローラ４までの用紙搬送通路の温度が高くなっているので、連続通紙か否かを判断材料とすることでより正確に用紙の高温状態を把握することができる。
図６は本発明の第５の実施形態に係る画像形成装置の機能ブロック図である。第５の実施形態に係る画像形成装置は、排紙トレイ５上流近傍に配置された用紙位置検出手段１１と、用紙厚検出手段(用紙坪量検出手段)１７と、用紙位置検出手段１１と用紙厚検出手段１７の出力により用紙が排紙中または排紙直後で、かつ高温状態にある旨判断する制御手段１２と、制御手段１２の指令により警告を発する警告手段１３とを備えている。
用紙の厚みが厚いと熱容量は大きくなる。従って定着に必要十分な熱量を与えられている厚紙の温度低下の度合いは小さい。厚紙か否かを判断材料とすることでより正確に用紙の高温状態を把握することができる。
【０００８】
図７は本発明の第６の実施形態に係る画像形成装置の機能ブロック図である。第６の実施形態に係る画像形成装置は、排紙トレイ５上流近傍に配置された用紙位置検出手段１１と、用紙材質検出手段１８と、用紙位置検出手段１１と用紙材質検出手段１８の出力により用紙が排紙中または排紙直後で、かつ高温状態にある旨判断する制御手段１２と、制御手段１２の指令により警告を発する警告手段１３とを備えている。
用紙の表面温度はその材質とも密接な関係がある。例えばＯＨＰシートなどのフィルム材の熱容量は普通紙よりも大きい。用紙の材質を判断材料とすることでより正確に用紙の高温状態を把握することができる。
図８は本発明の第７の実施形態に係る画像形成装置の機能ブロック図である。第７の実施形態に係る画像形成装置は、排紙トレイ５上流近傍に配置された用紙位置検出手段１１と、用紙サイズ検出手段１９と、用紙位置検出手段１１と用紙サイズ検出手段１９の出力により用紙が排紙中または排紙直後で、かつ高温状態にある旨判断する制御手段１２と、制御手段１２の指令により警告を発する警告手段１３とを備えている。
用紙の表面温度はそのサイズとも密接な関係がある。サイズが大きければ、熱容量は大きい。用紙のサイズを判断材料とすることでより正確に用紙の高温状態を把握することができる。
【図面の簡単な説明】
【０００９】
【図１】本発明の対象となる画像形成装置の構成図である。
【図２】本発明の第１の実施形態に係る画像形成装置の機能ブロック図である。
【図３】本発明の第２の実施形態に係る画像形成装置の機能ブロック図である。
【図４】本発明の第３の実施形態に係る画像形成装置の機能ブロック図である。
【図５】本発明の第４の実施形態に係る画像形成装置の機能ブロック図である。
【図６】本発明の第５の実施形態に係る画像形成装置の機能ブロック図である。
【図７】本発明の第６の実施形態に係る画像形成装置の機能ブロック図である。
【図８】本発明の第７の実施形態に係る画像形成装置の機能ブロック図である。
【符号の説明】
【００１０】
１１  用紙位置検出手段
１２  制御手段
１３  警告手段
【図１】
2007102040.tif 000003
【図２】
2007102040.tif 000004
【図３】
2007102040.tif 000005
【図４】
2007102040.tif 000006
【図５】
2007102040.tif 000007
【図６】
2007102040.tif 000008
【図７】
2007102040.tif 000009
【図８】
2007102040.tif 000010